(57)【要約】【課題】  極力手間をかけることなく、セキュリティを考慮して適切にデータを表示させることができる装置、システムおよび方法を提供する。【解決手段】  この装置は、情報処理装置から、１以上のデータと、該１以上のデータの各々に対して設定された各データの重要度とを受信する受信手段と、指定された領域内に入った１以上のユーザのユーザ情報を取得する取得手段と、取得されたユーザ情報に基づき、指定された領域内にいる１以上のユーザの重要度を決定し、決定したユーザの重要度と、受信された各データの重要度とを比較して、該各データの表示を許可するか否かを判断する判断手段と、許可すると判断された１以上のデータを、表示装置に送信する送信手段とを含む。【選択図】  図５
2015082215.tif 000002
【特許請求の範囲】
【請求項１】
１以上のデータの表示を制御する表示制御装置であって、
情報処理装置から、前記１以上のデータと、該１以上のデータの各々に対して設定された各データの重要度とを受信する受信手段と、
指定された領域内に入った１以上のユーザのユーザ情報を取得する取得手段と、
取得された前記ユーザ情報に基づき、前記指定された領域内にいる１以上のユーザの重要度を決定し、決定した前記ユーザの重要度と、受信された前記各データの重要度とを比較して、該各データの表示を許可するか否かを判断する判断手段と、
許可すると判断された１以上のデータを、表示装置へ送信する送信手段とを含む、表示制御装置。
【請求項２】
前記ユーザは、該ユーザのユーザ情報が記憶された記録媒体を所持しており、前記取得手段は、前記指定された領域内へ入る入口に設置された、前記ユーザ情報を読み取る読取装置から該ユーザ情報を取得する、請求項１に記載の表示制御装置。
【請求項３】
前記指定された領域内にいる１以上のユーザの重要度は、少なくとも部外者の有無に応じて決定され、前記各データの重要度も、該各データが少なくとも部外者に表示可能か否かに応じて設定される、請求項１または２に記載の表示制御装置。
【請求項４】
前記判断手段により許可すると判断された１以上のデータを選択可能なデータとして通知する通知手段をさらに含み、
前記送信手段は、通知された１以上のデータから選択されたデータを、前記表示装置に送信する、請求項１〜３のいずれか１項に記載の表示制御装置。
【請求項５】
前記通知手段は、前記許可すると判断された１以上のデータのみを通知する、請求項４に記載の表示制御装置。
【請求項６】
前記指定された領域は、互いに離れた２以上の地点にある室内とされ、前記取得手段は、各室内に入ったユーザのユーザ情報を部屋毎に取得し、前記判断手段は、各部屋につき取得したユーザ情報に基づき、各室内にいるユーザの重要度を部屋毎に決定する、請求項１〜５のいずれか１項に記載の表示制御装置。
【請求項７】
前記送信手段は、前記許可すると判断されたデータを、前記２以上の地点にある室内に設置された各表示装置へ送信する、請求項６に記載の表示制御装置。
【請求項８】
請求項１〜７のいずれか１項に記載の表示制御装置と、１以上のデータと該１以上のデータの各々に対して設定された各データの重要度とを送信する情報処理装置と、指定された領域内へ入る入口に設定された、ユーザのユーザ情報を読み取る読取装置と、前記表示制御装置から受信したデータを表示させる表示装置とを含む、データ表示システム。
【請求項９】
１以上のデータの表示を制御する表示制御装置により実行される表示制御方法であって、
情報処理装置から、前記１以上のデータと、該１以上のデータの各々に対して設定された各データの重要度とを受信するステップと、
指定された領域内に入った１以上のユーザのユーザ情報を取得するステップと、
取得された前記ユーザ情報に基づき、前記指定された領域内にいる１以上のユーザの重要度を決定し、決定した前記ユーザの重要度と、受信された前記各データの重要度とを比較して、該各データの表示を許可するか否かを判断するステップと、
許可すると判断された１以上のデータを、表示装置へ送信するステップとを含む、表示制御方法。
【請求項１０】
請求項９に記載の表示制御方法をコンピュータに実行させるためのプログラム。
【発明の詳細な説明】
【技術分野】
【０００１】
本発明は、データの表示を制御する表示制御装置、その表示制御装置を含むデータ表示システム、その表示制御装置により実行される表示制御方法およびその方法をコンピュータに実行させるためのプログラムに関する。
【背景技術】
【０００２】
近年、紙資源の無駄をなくすべく、会議室にノートＰＣを持ち込み、ノートＰＣとプロジェクタとを連結して、ノートＰＣが保持する文書、画像、プレゼンテーション資料等をスクリーンに表示させて会議を行うケースが増えてきている。それ故、データを表示させる際のセキュリティが重要になってきている。
【０００３】
プロジェクタ投影時において、セキュリティを高める目的で、計算機と画像表示装置と記憶装置とを備えた画像表示システムが提案されている（特許文献１参照）。このシステムでは、計算機から画像表示装置の記憶装置に対してデータを転送する際、パスワードの設定を要求し、パスワードが設定されると、パスワードと関連付けられたデータをその記憶装置に対して転送する。そして、画像表示装置の記憶装置に格納されたデータの中から表示データが選択されたとき、パスワードの入力を要求し、入力されたパスワードと、その表示データに関連付けられたパスワードとが一致する場合にその表示データを投写表示している。このシステムは、秘匿性の高いデータを投写する際、パスワードの入力を要求し、そのデータを表示してよいか確認を行うので、セキュリティを確保することができる。
【発明の概要】
【発明が解決しようとする課題】
【０００４】
しかしながら、上記の画像表示システムでは、事前に登録したファイルしか投写表示することができないため、登録していないファイルを表示させたい場合は、ＰＣ側でパスワードの設定が必要となり、手間がかかるという問題があった。また、画像表示装置側でも毎回パスワードの入力が必要になるため、さらに手間がかかるという問題もあった。
【０００５】
上記の画像表示システムは、パスワードが入力され、一致する場合、無条件に表示データを投写表示する。このため、表示データが社外秘のデータであって、その場に外部の者がいたとしても、その社外秘のデータを投影表示してしまうこととなり、セキュリティの問題もあった。
【０００６】
そこで、極力手間をかけることなく、セキュリティを考慮して適切にデータを表示させることができる装置、システムおよび方法の提供が望まれていた。
【課題を解決するための手段】
【０００７】
本発明は、上記課題に鑑み、１以上のデータの表示を制御する表示制御装置であって、情報処理装置から、１以上のデータと、該１以上のデータの各々に対して設定された各データの重要度とを受信する受信手段と、指定された領域内に入った１以上のユーザのユーザ情報を取得する取得手段と、取得されたユーザ情報に基づき、指定された領域内にいる１以上のユーザの重要度を決定し、決定したユーザの重要度と、受信された各データの重要度とを比較して、該各データの表示を許可するか否かを判断する判断手段と、許可すると判断された１以上のデータを、表示装置へ送信する送信手段とを含む、表示制御装置が提供される。
【発明の効果】
【０００８】
本発明によれば、極力手間をかけずに、セキュリティを考慮して適切にデータを表示させることができる。
【図面の簡単な説明】
【０００９】
【図１】本実施形態のデータ表示システムの構成例を示した図。
【図２】図１に示すデータ表示システムが実行する処理の流れを示したフローチャート。
【図３】図１に示すデータ表示システムが保持するデータの投影を許可するか否かを表したテーブルを例示した図。
【図４】図１に示すデータ表示システムが備える表示制御装置のハードウェア構成を例示した図。
【図５】図４に示す表示制御装置の機能ブロック図。
【図６】データに対してセキュリティレベルを設定し、設定後のデータを記憶させる処理の流れを示したフローチャート。
【図７】会議室にユーザが入室したときに実行する処理の流れを示したフローチャート。
【図８】図３に示すテーブルを参照して、各データにつき投影を許可するか否かを判定した結果を示した図。
【図９】データ表示システムを、遠距離会議システムとして使用する場合の構成例を示した図。
【図１０】図９に示すデータ表示システムにおいて得られる、各データにつき投影を許可するか否かを判定した結果を示した図。
【図１１】図９に示すデータ表示システムが実行する処理の流れを示したフローチャート。
【発明を実施するための形態】
【００１０】
図１は、本実施形態のデータ表示システムの構成例を示した図である。このデータ表示システムは、情報処理装置としてのＰＣ１０と、スクリーン１１と、そのスクリーン１１にデータを投影して表示させる投影装置としてのプロジェクタ１２とを含む。ここでは、スクリーン１１とプロジェクタ１２は、表示装置として機能する。また、データ表示システムは、ＰＣ１０とプロジェクタ１２とに接続され、ＰＣ１０から送信されたデータの表示を制御する表示制御装置１３と、表示制御装置１３に接続される読取装置としてのカードリーダ１４とをさらに含む。
【００１１】
ＰＣ１０と表示制御装置１３、表示制御装置１３とカードリーダ１４、表示制御装置１３とプロジェクタ１２はそれぞれ、有線または無線により通信可能に接続されている。それらは、互いにケーブルにより、またはネットワークを介して接続される。無線により接続する場合、Ｗｉ−Ｆｉ等の無線ＬＡＮ、Ｂｌｕｅｔｏｏｔｈ（登録商標）、赤外線通信等を使用して接続することができる。
【００１２】
ＰＣ１０は、ノートＰＣ、デスクトップＰＣ、タブレットＰＣのいずれであってもよく、スクリーン１１に投影するデータを作成するためのアプリケーションを実装する。このアプリケーションは、ＰＣ１０全体を制御するＯＳ(Operating System)上で動作し、このＯＳは、ブートプログラムによって起動されることから、ＰＣ１０は、ＯＳおよびブートプログラムも実装する。ＰＣ１０は、ハードウェアとして、これらのアプリケーション等を記憶する記憶装置と、その記憶装置からアプリケーション等を読み出して実行するＣＰＵとを備える。
【００１３】
記憶装置は、ブートプログラムを記憶するＲＯＭ(Read Only Memory)と、ＣＰＵに対して作業領域を与えるＲＡＭ(Random Access Memory)と、ＨＤＤ(Hard Disk Drive)とを備える。なお、ＨＤＤに代えてＳＳＤ(Solid State Drive)を用いることも可能である。記憶装置としては、そのほか、ＣＤ−ＲＯＭ、ＤＶＤ、ＳＤカード等の記録メディアと、その記録メディアＩ／Ｆとから構成される装置を用いることもできる。
【００１４】
ＰＣ１０は、ＣＰＵによるアプリケーション等の実行状況や結果等を表示する表示装置としてのディスプレイ、文字等の入力やアイコン等の選択を行う入力装置としてのキーボードおよびマウス、他の機器との間の通信を可能にする通信Ｉ／Ｆ等を備えている。タブレットＰＣの場合、表示装置の機能と入力装置の機能とを備えたタッチパネルを採用することができる。ＰＣ１０は、必要に応じて、音声を入力する音声入力装置としてのマイク、音声を出力する音声出力装置としてのスピーカ、撮像装置としてのカメラ、外部機器を接続して使用可能にするための外部機器Ｉ／Ｆを備えることができる。
【００１５】
ＰＣ１０は、これらのハードウェアおよび上記のＯＳやアプリケーション等のソフトウェアを使用し、スクリーン１１に投影するデータを作成する。また、ＰＣ１０は、他の機器からの要求を受けて、スクリーン１１に投影するデータを受信し、そのデータを記憶する。ＰＣ１０は、ユーザからの指示を受けて、ＰＣ１０が保持する１以上のデータを、表示制御装置１３を介してプロジェクタ１２へ送信する。プロジェクタ１２へ送信するデータとしては、写真や映像等の画像データ、文書データ、プレゼンテーション資料用データ等を挙げることができる。
【００１６】
スクリーン１１は、プロジェクタ１２から投射される画像を映し出す所定サイズで矩形の白地の布や紙と、その裏側に配置される黒色のマスクとから構成されるものを採用することができる。スクリーン１１としては、そのほか、ディスプレイやテレビ、白壁等を用いることもできる。
【００１７】
プロジェクタ１２は、画像等を投影することにより表示させる装置で、ＣＲＴ方式あるいはライトバルブ方式のプロジェクタを使用することができる。ＣＲＴ方式は、ＣＲＴ画面上に表示された画像を、レンズを使用して拡大し、投影する方式である。ライトバルブ方式は、光源からの光を、ライトバルブにより変調して投影する方式である。プロジェクタ１２は、ＰＣ１０から入力されたデータを受け付け、そのデータに基づき画像を生成し、所定の倍率に拡大してスクリーン１１上に表示させる。
【００１８】
ここではスクリーン１１とプロジェクタ１２とを用いる例を示したが、表示装置として、ディスプレイやテレビ等を用いてもよい。
【００１９】
表示制御装置１３は、ＰＣ１０からデータを受信し、そのデータの表示を許可するか否かを判断し、判断結果をＰＣ１０に通知する。そして、表示制御装置１３は、表示を許可したデータの中から選択されたデータを、プロジェクタ１２へ送信する。表示制御装置１３は、その判断を行うにあたって、カードリーダ１４からユーザ情報を取得する。この情報を使用して、上記判断を行う場合の詳細な処理、その処理を実現するためのハードウェア構成や機能ブロック等については後述する。
【００２０】
カードリーダ１４は、指定された領域内へ入る入口に設置され、ユーザがその入口から入る際、ユーザが記録媒体として所持するＩＣチップが搭載されたカードの、そのＩＣチップに記憶されたユーザ情報を読み取る。カードリーダ１４は、電極を有する接触型、コイルアンテナを有する非接触型のいずれであってもよい。ユーザ情報としては、ユーザ名、ユーザＩＤ、会社名、所属、ユーザ登録の有無、派遣社員やパートや役員といった身分等の情報を含むことができる。
【００２１】
図１に示した表示制御装置１３について詳細に説明する前に、図１に示したデータ表示システムが実行する処理について、図２に示すフローチャートを参照して説明する。ユーザがＰＣ１０を使用して投影したいデータを選択することにより、ステップ２００からこの処理を開始する。このユーザは、このシステムを使用して会議を行う場合、会議の主催者である。ステップ２０５では、ＰＣ１０が、ユーザが選択したデータを受け付け、そのデータを表示制御装置１３へ送信する。投影したいデータは、文書、写真、プレゼンテーション資料等のデータである。なお、ＰＣ１０から表示制御装置１３への送信は、有線もしくは無線または外部メモリ等を介して行うことができる。
【００２２】
ステップ２１０では、表示制御装置１３が、そのデータに対する重要度の設定を受け付ける。この重要度は、例えば、セキュリティレベルとして設定することができる。セキュリティレベルは、例えば、高、中、低という３段階のレベル、高、中高、中、中低、低という５段階のレベルとすることができる。なお、レベルは、これに限られるものではなく、高、低の２段階のレベル等であってもよい。これらのレベルは、例えば、スライドバーをマウスにより移動させることにより設定することができる。以下、重要度を、セキュリティレベルとして説明する。
【００２３】
セキュリティレベルを高、低の２段階のレベルとした場合、部外者たる外部の者には開示してはならない社外秘のデータについては「高」を、外部の者にも開示してよいデータについては「低」を設定することができる。このことから、データのセキュリティレベルは、少なくとも部外者に表示可能か否かに応じて設定することができる。
【００２４】
セキュリティレベルの設定は、ＰＣ１０からデータの送信時に行うこともできるし、表示制御装置１３がデータを受信した後に、その表示制御装置１３において行うこともできる。セキュリティレベルは、例えば、データに付加される属性情報の１つとして、専用のアプリケーションを使用して設定することができる。
【００２５】
ステップ２１５では、カードリーダ１４が、スクリーン１１およびプロジェクタ１２が設置されている、指定された領域である室内へ入る入口、すなわちドアに近隣して設置され、入室するユーザが所持するカードに記憶されたユーザ情報を読み取る。この入室するユーザは、会議の参加者である。ここでは、カードリーダ１４を用いているが、ユーザ情報を取得することができれば、他の手段を使用してもよい。例えば、顔や指紋等と、ユーザ情報とを紐付けて記憶するデータベースと、顔や指紋等の情報を取得する生体情報取得装置とを備える生体認証装置を用いることができる。生体認証装置は、顔認証であってもよいし、指紋認証であってもよいし、静脈認証であってもよい。
【００２６】
このようにしてユーザ情報を取得することにより、ドアを通過して入室したユーザが、社員であるのか、外部の者であるのか等を判別することができる。カードリーダ１４は、ユーザがカードを挿入するたびに、カードからユーザ情報を読み取り、ステップ２２０では、表示制御装置１３がカードリーダ１４からそのユーザ情報を取得する。
【００２７】
ステップ２２５では、取得したユーザ情報に基づき、その室内にいる１以上のユーザのセキュリティレベルを決定する。具体的には、各ユーザ情報から、外部の者がいる、派遣社員がいる、社員のみ、登録したメンバといったユーザ分類のうち、どの分類に該当するかに応じてセキュリティレベルを決定する。分類とセキュリティレベルとの対応関係は、分類情報として予め決定しておくことができる。例えば、外部の者がいるという分類は、セキュリティレベルが「低」、派遣社員がいるという分類は「中」、社員のみという分類は「中高」、登録したメンバという分類は「高」と決定することができる。この分類は、一例であり、これに限定されるものではない。
【００２８】
表示制御装置１３は、受信したデータに対して設定されたセキュリティレベルと、決定したセキュリティレベルとを比較する。そして、表示制御装置１３は、そのデータに対して設定されたセキュリティレベルより決定したセキュリティレベルの方が高い場合、そのデータの表示、ここでは投影に対して許可を与える。これは、データが外部の者にも公開してもよいレベルが「低」のデータで、入室したユーザのレベルが「高」の社員であるため、そのデータを投影しても、セキュリティの問題は生じないからである。
【００２９】
表示制御装置１３は、データのレベルが「低」で、入室したユーザのレベルが「低」である場合や、データのレベルが「高」で、入室したユーザのレベルが「高」である場合も、そのデータの投影を許可する。この場合も、セキュリティの問題は生じないからである。しかしながら、表示制御装置１３は、データのレベルが「高」で、入室したユーザのレベルが「低」である場合は、そのデータの投影を許可しない。入室したユーザの中に外部の者が含まれている場合に、社外秘データや極秘データを投影すると、セキュリティに問題が生じるからである。
【００３０】
このため、ステップ２３０では、表示制御装置１３が、データのセキュリティレベルが入室したユーザのセキュリティレベルより高いかどうかを判断する。高いと判断した場合は、セキュリティに問題が生じるため、そのデータの投影に許可を与えず、ステップ２４５へ進み、この処理を終了する。
【００３１】
ステップ２３０で高くないと判断した場合、ステップ２３５へ進み、表示制御装置１３は、そのデータに対して投影許可を与え、ＰＣ１０に対してそのデータが選択可能である旨を通知する。ステップ２４０では、ＰＣ１０は、通知された選択可能なデータを、画面上に投影可能なデータとして表示し、ユーザからの選択を受け付け、表示制御装置１３に対してそのデータの投影を指示する。表示制御装置１３は、そのデータをプロジェクタ１２へ送り、プロジェクタ１２が、そのデータをスクリーン１１に投影して表示させる。投影後、ステップ２４５へ進み、この処理を終了する。
【００３２】
このような処理を行うことで、データに対してパスワードを設定し、また、投影する際にもパスワードを入力するという手間を省くことができる。また、外部の者がいる場合は、社外秘データや極秘データ等を表示させないようにすることができるので、充分にセキュリティを確保することができる。
【００３３】
表示制御装置１３は、投影許可するかどうかの判断において、図３に示すようなテーブルを参照することができる。図３は、データに対して設定されたセキュリティレベルと、スクリーン１１およびプロジェクタ１２が設置されている室内にいるユーザのユーザ情報に基づき決定したユーザのセキュリティレベルとを予め比較した結果を表したテーブルである。
【００３４】
図３では、データに対して設定されるセキュリティレベルとして４段階のレベルが設定されている。セキュリティレベルが高い順に、「極秘」、「秘」、「社外秘」、「公開」とされている。また、図３では、ユーザのセキュリティレベルとして、「外部の者がいる」、「派遣社員がいる」、「社員のみ」、「登録したメンバ（社員のみ）」、「登録したメンバ（外部の者も含む）」という５段階のレベルが設定されている。
【００３５】
図３では、「公開」というレベルが設定されたデータは、外部の者に対しても公開してよいデータであるため、ユーザのセキュリティレベルがいずれの場合であっても投影許可を与えてよく、テーブルには、投影許可を与えることを表す「○」が設定されている。「社外秘」というレベルが設定されたデータは、外部の者がいる場合には投影許可を与えないようにするため、「外部の者がいる」、「登録したメンバ（外部の者も含む）」については投影許可を与えないことを表す「×」が設定されている。それ以外については「○」が設定されている。
【００３６】
「秘」というレベルが設定されたデータは、社員のみの場合に投影許可を与え、それ以外には許可を与えないようにするため、「社員のみ」、「登録したメンバ（社員のみ）」について「○」が設定されている。「極秘」というレベルが設定されたデータは、登録したメンバにのみ投影許可を与えるようにするべく、「登録したメンバ（社員のみ）」、「登録したメンバ（外部の者も含む）」について「○」が設定されている。
【００３７】
このような設定は一例であり、例えば、登録したメンバであれば、外部の者を含む場合であっても、「社外秘」や「秘」というレベルが設定されたデータを、投影許可するように設定されていてもよい。
【００３８】
ここで、図４および図５を参照して、本実施形態の表示制御装置１３のハードウェア構成および機能ブロックについて説明する。表示制御装置１３は、図３に示すようなテーブルを記憶し、また、上記の比較や判断等の処理を実行するためのプログラムを記憶する記憶装置と、図４に示すような、そのプログラムを実行するＣＰＵ２０とを備える。記憶装置としては、装置を起動させるブートプログラム等を記憶するＲＯＭ２１と、ＣＰＵ２０に対して作業領域を与えるＲＡＭ２２と、上記のテーブルやプログラムを記憶するＨＤＤ２３とを備えることができる。なお、ＨＤＤ２３に代えて、ＳＳＤ等を用いることができる。
【００３９】
表示制御装置１３は、記録メディア２４を使用して、データ等を、ＰＣ１０やプロジェクタ１２等とやりとりすることができるように、記録メディア２４への読み書きを行う外部メモリＩ／Ｆ２５を備えることができる。また、表示制御装置１３は、データ等を、ネットワークを介してＰＣ１０やプロジェクタ１２等とやりとりすることができるように、通信Ｉ／Ｆ２６も備えることができる。
【００４０】
表示制御装置１３が備えるＣＰＵ２０、ＲＯＭ２１、ＲＡＭ２２、ＨＤＤ２３、外部メモリＩ／Ｆ２５、通信Ｉ／Ｆ２６は、いずれもバス２７に接続され、バス２７を介してデータ等のやりとりを行うことができるようになっている。なお、表示制御装置１３は、必要に応じて、表示手段および入力手段を備えることができ、これらの手段を備えることで、データに対するセキュリティレベルの設定を、表示制御装置１３において行うことができる。
【００４１】
表示制御装置１３は、ＨＤＤ２３に記憶されたプログラムを、ＣＰＵ２０が読み出し実行することにより、この表示制御装置１３を、各機能部として機能させることができる。このため、図５に示すように、表示制御装置１３は、機能部として、記憶部３０、受信部３１、取得部３２、判断部３３、通知部３４、送信部３５を備える。
【００４２】
記憶部３０は、記憶手段として機能し、表示制御装置１３が受信したデータを記憶する。また、記憶部３０は、図３に示したテーブル、表示制御装置１３が取得したユーザ情報、上記の分類とセキュリティレベルとを対応付けた分類情報も記憶することができる。
【００４３】
受信部３１は、受信手段として機能し、ＰＣ１０から送信された上記のデータを受信し、記憶部３０に記憶させる。取得部３２は、取得手段として機能し、指定された領域、例えば、ある部屋の室内や会議室内に入った１以上のユーザのユーザ情報を取得する。なお、このデータ表示システムを、テレビ会議システムとして使用する場合は、互いに離れた２以上の地点にある室内、すなわち、その会議を行っている２つ以上の会議室内が、指定された領域となる。
【００４４】
ユーザ情報は、その室内に入る際にユーザが、ユーザ情報が記憶されたカードを読み取らせることにより、カードリーダ１４によって取得される。取得部３２は、カードリーダ１４との間で通信を行っており、カードリーダ１４がユーザ情報を読み取ったことに応答して、そのカードリーダ１４からそのユーザ情報を取得する。
【００４５】
送信部３５は、送信手段として機能し、受信部３１がＰＣ１０からデータの選択を受け付けると、記憶部３０に記憶したそのデータを取り出し、そのデータをプロジェクタ１２へ送信する。
【００４６】
判断部３３は、判断手段として機能し、取得部３２が取得し、記憶部３０に記憶しておいたユーザ情報に基づき、指定された領域、例えば会議室内にいる１以上のユーザのセキュリティレベルを決定する。セキュリティレベルの決定方法については既に説明したので、ここではその説明を省略する。なお、指定された領域は、部屋や会議室等の室内のほか、室外であって、スクリーン１１が見える範囲等としてもよい。
【００４７】
また、判断部３３は、記憶部３０に記憶されたデータに対して設定されたセキュリティレベルを取得する。そして、判断部３３は、取得したセキュリティレベルと決定したセキュリティレベルとを比較して、あるいはテーブルを参照して、そのデータの投影を許可するか否かを判断する。テーブルにおいて、「○」が設定されている場合、許可し、「×」が設定されている場合は許可を与えない。
【００４８】
通知部３４は、通知手段として機能し、投影を許可すると判断されたデータを、選択可能なデータとして通知する。このとき、通知部３４は、許可しないと判断されたデータを、選択不可のデータとして通知することができる。この通知は、ＰＣ１０に対して行い、ＰＣ１０は、受け付けた通知に基づき、選択可能なデータと選択不可のデータとを画面上に表示させる。これにより、ユーザは、どのデータが選択可能で、どのデータが選択不可かを見て判断することができ、選択可能なデータの中から投影させたいデータを選択することができる。
【００４９】
通知部３４は、投影を許可すると判断されたデータについてのみ、ＰＣ１０に対して通知し、ＰＣ１０は、選択可能なデータのみを表示させることもできる。受信部３１が、ＰＣ１０からデータの選択を受け付けると、送信部３５は、記憶部３０に記憶されているその選択されたデータをプロジェクタ１２へ送信する。なお、通知部３４は、設けなくてもよく、この場合、許可すると判断したデータすべてを、送信部３５がプロジェクタ１２に送信することができる。プロジェクタ１２は、受信したデータをスクリーン１１に投影して表示させる。
【００５０】
図６を参照して、表示制御装置１３が実行するデータを受信し、記憶部３０に記憶させる処理について説明する。ユーザは、ＰＣ１０を使用してスクリーン１１に投影したいデータを選択し、ＰＣ１０が、そのデータを表示制御装置１３へ送信することにより、ステップ６００からこの処理を開始する。ステップ６０５では、受信部３１が、そのデータを受信する。
【００５１】
ステップ６１０では、ＰＣ１０から受信したデータに対してセキュリティレベルが設定されたかどうかにより、セキュリティレベルが設定されたかどうかを判断する。この判断は、セキュリティレベルが設定されるまで繰り返される。このとき、通知部３４が、セキュリティレベルを設定するようにユーザに促す通知を行うことができる。通知は、表示制御装置１３が表示手段を備える場合、その表示手段に表示して行うこともできるし、ＰＣ１０の画面上に表示して行うこともできる。ユーザにより設定された場合、ステップ６１５へ進み、セキュリティレベルが設定されたデータを記憶部３０に記憶させ、ステップ６２０へ進み、この処理を終了する。この処理は、例えば、受信部３１が行うことができる。
【００５２】
次に、図７を参照して、表示制御装置１３が実行するセキュリティレベルを決定する処理について説明する。事前に、各ユーザは、自己のユーザ情報をカードに記憶させることにより登録する。カードは、ＩＣチップ等の記憶媒体を搭載しており、その記憶媒体にユーザ情報を書き込むことにより登録することができる。ユーザ情報には、上述したユーザ名、ユーザＩＤ、会社名、所属、ユーザ登録の有無、身分等の情報が含まれる。ここでは、カードを利用する例について説明しているが、顔認証、指紋認証、静脈認証等、個人を認証できる手段であれば、いかなる手段を利用してもよい。また、カードを利用する場合に、上記のような挿入し、ＩＣチップに読み取りヘッドを接触させて読み取る方法に限定されるものではなく、赤外線等を利用し、無線通信を行い、ユーザ情報を取得する方法であってもよい。
【００５３】
そのユーザが会議等に参加する場合、その会議室の入口に設けられたカードリーダ１４にカードを挿入する等して、カードに記憶されたユーザ情報を読み取らせる。この処理は、ステップ７００から開始し、ステップ７０５では、取得部３２がカードリーダ１４からユーザ情報を取得する。ユーザ情報は、会議室内にいるユーザの人数分だけ取得される。
【００５４】
ステップ７１０では、取得部３２が、記憶部３０に取得したユーザ情報を記憶させる。取得部３２は、ユーザ情報を取得するたびに記憶部３０に記憶させることができる。ステップ７１５では、判断部３３が、記憶部３０に記憶されたユーザ情報に基づき、その室内にいるユーザに対するセキュリティレベルを決定する。セキュリティレベルは、分類情報を参照し、ユーザがどの分類に該当するかを判断することにより決定することができる。決定後、ステップ７２０へ進み、この処理を終了する。なお、決定後は、図２に示したステップ２３０以降の処理が実行される。
【００５５】
図８は、判断部３３によりデータの投影を許可するか否かを判断した結果と、通知部３４がＰＣ１０へ通知し、ＰＣ１０がその通知を受けて表示させた、ユーザが投影させるデータを選択するための選択画面とを例示した図である。図８（ａ）に示す例では、ユーザがスクリーン１１に投影したいデータとして、「ＡＡＡ.pdf」、「ＢＢＢ.pdf」、「ＣＣＣ.pdf」という３つのデータが表示制御装置１３へ送信されている。表示制御装置１３の判断部３３は、「ＡＡＡ.pdf」と「ＣＣＣ.pdf」は許可するが、「ＢＢＢ.pdf」は許可しないと判断している。
【００５６】
選択画面は、図８（ｂ）に示すように、許可されたデータは、上から順に並べて表示され、許可されないデータは、許可されたデータの下にグレーダウン表示される。グレーダウン表示されたデータは、ユーザが選択することができないようになっていて、そのデータを投影させることはできないようになっている。図８（ｂ）では、グレーダウン表示されていない「ＡＡＡ.pdf」、「ＣＣＣ.pdf」のみが選択可能で、これらのデータのみ投影させることができる。
【００５７】
このようにして、セキュリティレベルの高いデータを容易に公開しないようにすることで、セキュリティを高めることができる。ここでは、グレーダウン表示するようにしているが、グレーダウン表示せず、許可が得られていないデータを選択した際に、警告画面を表示させるようにしてもよい。また、ユーザが選択を行い、選択したデータを投影させる際、表示制御装置１３は、取得したユーザ情報をデータとともに記憶部３０に記憶させておき、後からセキュリティレベルの設定が適切かどうかを確認できるようにすることもできる。
【００５８】
図１に示したデータ表示システムを、遠距離会議システムとして利用する場合の実施例について説明する。遠距離会議システムとして利用する場合の構成例を、図９に示す。第１の地点にある会議室には、スクリーン４０、プロジェクタ４１、表示制御装置４２、ＰＣ４３、カードリーダ４４が設置されている。プロジェクタ４１と表示制御装置４２、表示制御装置４２とＰＣ４３、表示制御装置４２とカードリーダ４４は、互いに有線または無線により接続されている。また、表示制御装置４２は、ネットワーク５０に接続されている。これらの機器が行う処理やハードウェア構成等については、既に説明したので、ここではその説明を省略する。
【００５９】
第１の地点から離れた第２の地点にある会議室には、第１の地点と同様、スクリーン６０、プロジェクタ６１、表示制御装置６２、カードリーダ６３が設置されている。プロジェクタ６１と表示制御装置６２、表示制御装置６２とカードリーダ６３は、互いに有線または無線により接続されている。また、表示制御装置６２は、ネットワーク５０に接続され、このネットワーク５０を介して第１の地点にある会議室に設置された表示制御装置４２と接続されている。
【００６０】
表示制御装置４２は、第１の地点にある会議室内に入ったユーザのユーザ情報を取得し、投影すべきデータとして受信した各データにつき、投影を許可するかどうかを判断する。その結果は、図１０（ａ）に示すように、図８（ａ）と同様の結果となる。
【００６１】
再び図９を参照して、表示制御装置６２は、第２の地点にある会議室内に入ったユーザのユーザ情報を取得する。表示制御装置４２は、ネットワーク５０を介して表示制御装置６２と接続されているため、表示制御装置６２からその表示制御装置６２が取得したユーザ情報を取得する。そして、表示制御装置４２は、取得したユーザ情報に基づき、第２の地点にある会議室内にいるユーザのセキュリティレベルを決定し、決定したセキュリティレベルとデータのセキュリティレベルとを比較して、そのデータの投影を許可するかどうかを判断する。図１０（ａ）では、その判断結果が「ＣＣＣ.pdf」のみを許可するものとなっている。
【００６２】
遠距離会議システムでは、２つの会議室において投影されるデータは、同じ画像を見て会議を行う必要があるので、同じデータでなければならない。このため、表示制御装置４２は、両方の会議室において許可された「ＣＣＣ.pdf」のみを投影許可し、そのデータのみが選択可能である旨をＰＣ４３に対して通知する。ＰＣ４３は、そのデータのみを選択可能な表示とし、その他はグレーダウン表示とした選択画面を表示させる。このときにＰＣ４３に表示される選択画面は、図１０（ｂ）に示すようなものとなる。
【００６３】
この場合の処理の流れについて、図１１を参照して詳細に説明する。ユーザは、第１の地点にある会議室内に設置されたＰＣ４３を操作して、投影したいデータを選択することにより、ステップ１１００から処理を開始する。ステップ１１０５では、ＰＣ４３が、データの選択を受け付ける。ステップ１１１０では、ＰＣ４３が、ユーザにより選択されたデータを表示制御装置４２へ送信する。ステップ１１１５では、表示制御装置４２が、ユーザによるそのデータに対するセキュリティレベルの設定を受け付ける。ステップ１１２０において、表示制御装置４２が、セキュリティレベルが設定されたデータを記憶する。
【００６４】
ステップ１１２５では、表示制御装置４２が、カードリーダ４４から取得したユーザ情報に基づき、第１の地点にある会議室内にいるユーザのユーザ情報を取得する。取得したユーザ情報は、表示制御装置４２が備える記憶部に記憶させることができる。そして、表示制御装置４２が、取得したユーザ情報に基づき、その会議室内にいるユーザのセキュリティレベルを決定する。
【００６５】
ステップ１１３０では、第２の地点にある会議室内に設置された表示制御装置６２から、表示制御装置６２がその会議室内にいるユーザのユーザ情報を取得し、そのユーザ情報に基づき決定したセキュリティレベルを取得する。ステップ１１３５では、表示制御装置４２が、これらのセキュリティレベルから、両方の会議室内にいるユーザ全員を考慮したセキュリティレベルを決定する。
【００６６】
ステップ１１４０では、表示制御装置４２が、データに対して設定されたセキュリティレベルと、ステップ１１３５で決定されたセキュリティレベルとを比較して、そのデータの投影を許可するか否かを判断する。データが２以上ある場合は、各データにつき、投影を許可するか否かを判断する。高いと判断した場合は、ステップ１１５５へ進み、この処理を終了する。投影すると、セキュリティの問題が発生するためである。高くないと判断した場合は、ステップ１１４５へ進む。
【００６７】
ステップ１１４５では、表示制御装置４２が、そのデータに対して投影許可を与え、ＰＣ４３にそのデータが選択可能である旨を通知する。ＰＣ４３は、この通知を受けて、ユーザに対して選択可能なデータを表示させ、データの選択を受け付ける。そして、ＰＣ４３は、選択されたデータの情報を表示制御装置４２に通知する。ステップ１１５０では、表示制御装置４２は、その通知を受け、記憶部からそのデータを取り出し、プロジェクタ４１へそのデータを送信する。プロジェクタ４１は、データを受信すると、スクリーン４０に投影して表示させる。
【００６８】
また、表示制御装置４２は、ユーザにより選択されたデータを表示制御装置６２へも送信する。表示制御装置６２は、そのデータをプロジェクタ６１へ送信し、スクリーン６０に投影して表示させる。このようにデータが投影されたところで、ステップ１１５５へ進み、この処理を終了する。
【００６９】
このように、各地点に設置された表示制御装置が連携して動作し、共通して許可されたデータのみを投影して表示させるようにすることで、離れた地点にある室内に不審者がいたとしても、重要なデータは投影されないので、情報の漏洩を回避することができる。
【００７０】
図１１に示したフローチャートでは、表示制御装置４２、６２において、それぞれが部屋毎にユーザのセキュリティレベルを決定した。しかしながら、表示制御装置４２は、表示制御装置６２からユーザ情報を取得し、両方の会議室内にいる全ユーザのユーザ情報に基づき、両方の会議室内にいるユーザ全員を考慮したセキュリティレベルを決定してもよい。
【００７１】
これまで本発明の表示制御装置、データ表示システムおよび表示制御方法について図面に示した実施形態を参照しながら詳細に説明してきたが、本発明は、上述した実施形態に限定されるものではない。したがって、他の実施形態や、追加、変更、削除など、当業者が想到することができる範囲内で変更することができ、いずれの態様においても本発明の作用・効果を奏する限り、本発明の範囲に含まれるものである。よって、本発明では、上記の表示制御方法をコンピュータに実行させるためのプログラムや、当該プログラムが記録された記録媒体等も提供することができるものである。
【符号の説明】
【００７２】
１０、４３…ＰＣ、１１、４０、６０…スクリーン、１２、４１、６１…プロジェクタ、１３、４２、６２…表示制御装置、１４、４４、６３…カードリーダ、２０…ＣＰＵ、２１…ＲＯＭ、２２…ＲＡＭ、２３…ＨＤＤ、２４…外部メモリＩ／Ｆ、２５…通信Ｉ／Ｆ、２６…バス、３０…記憶部、３１…受信部、３２…取得部、３３…判断部、３４…通知部、３５…送信部、５０…ネットワーク
【先行技術文献】
【特許文献】
【００７３】
【特許文献１】特許第４９８３９８８号公報
【図１】
2015082215.tif 000003
【図２】
2015082215.tif 000004
【図３】
2015082215.tif 000005
【図４】
2015082215.tif 000006
【図５】
2015082215.tif 000007
【図６】
2015082215.tif 000008
【図７】
2015082215.tif 000009
【図８】
2015082215.tif 000010
【図９】
2015082215.tif 000011
【図１０】
2015082215.tif 000012
【図１１】
2015082215.tif 000013